(57)【要約】【課題】居室内を衛生的に保つことのできる冷蔵庫を提供する。【解決手段】断熱材を充填した断熱箱体３により貯蔵室４、５を形成するとともに断熱箱体３の下方に機械室６を設けた本体部２と、イオンを発生するイオン発生器３５と送風ファン３６とを有して本体部２の上面に配されるイオン送出装置３４と、を備え、機械室６の背面１０に開口部６ａを開口するとともに、イオン送出装置３４の吸入口３８が本体部２の背面よりも後方で下方に面して開口する。【選択図】図１
2013117335.tif 000002
【特許請求の範囲】
【請求項１】
断熱材を充填した断熱箱体により貯蔵室を形成するとともに前記断熱箱体の下方に機械室を設けた本体部と、イオンを発生するイオン発生器と送風ファンとを有して前記本体部の上面に配されるイオン送出装置と、を備え、
前記機械室の背面に開口部を開口するとともに、前記イオン送出装置の吸入口が前記本体部の背面よりも後方で下方に面して開口することを特徴とする冷蔵庫。
【請求項２】
前記本体部の背面の左右端からそれぞれ突出するとともに上下方向に延びて前記開口部と前記吸入口との間に配されるエアガイダを設けたことを特徴とする請求項１に記載の冷蔵庫。
【請求項３】
前記本体部の背面が左右の端部で傾斜した傾斜面を有し、前記傾斜面に前記開口部を設けたことを特徴とする請求項１に記載の冷蔵庫。
【請求項４】
前記イオン送出装置の上流に前記冷却器の除霜水を貯水する除霜水受けを備えたことを特徴とする請求項１〜３のいずれかに記載の冷蔵庫。
【請求項５】
前記本体部の背面に凝縮器を配したことを特徴とする請求項１〜４のいずれかに記載の冷蔵庫。
【発明の詳細な説明】
【技術分野】
【０００１】
本発明は、イオン送出装置を備えた冷蔵庫に関する。
【背景技術】
【０００２】
従来の冷蔵庫は特許文献１に開示されている。この冷蔵庫は断熱箱体により複数の貯蔵室を形成した本体部を備えている。貯蔵室の前面は断熱扉により開閉される。本体部の後方下部には断熱箱体の下方に配される機械室が設けられる。
【０００３】
機械室内には冷媒を流通させて冷凍サイクルを運転する圧縮機が設けられる。圧縮機の上方には上面を開口した除霜水受けが配される。除霜水受けは冷凍サイクルの低音部に配される冷却器の除霜時に発生する除霜水を貯水する。除霜水受けに貯水された除霜水は機械室内の熱により蒸発し、機械室の背面の開口部から吐出して大気中に回収される。
【０００４】
また、特許文献２に開示される冷蔵庫の本体部の上面にイオン発生装置及び送風機を備えた空気清浄機が設けられる。
【０００５】
空気清浄機の両側部には空気の流入口が設けられ、前部には空気の吐出口が設けられる。これにより、貯蔵物を冷却して保存するとともに、空気清浄機の吐出口からイオンを送出して居室内の空気を浄化する。
【先行技術文献】
【特許文献】
【０００６】
【特許文献１】特開平５−２６５６３号公報
【特許文献２】特開２００６−２３０７５号公報
【発明の概要】
【発明が解決しようとする課題】
【０００７】
一般的に冷蔵庫は居室又は居住空間内の壁と本体部の背面と隙間を有して配される。この時、機械室内から蒸発した水分を含んだ空気が隙間に停滞する。このため、上記特許文献１に開示される冷蔵庫によると、居室内の壁や冷蔵庫の背面にカビ等が発生し、異臭を伴って居室内が不衛生になる問題があった。
【０００８】
本発明は、居室内を衛生的に保つことのできる冷蔵庫を提供することを目的とする。
【課題を解決するための手段】
【０００９】
上記目的を達成するために本発明の冷蔵庫は、断熱材を充填した断熱箱体により貯蔵室を形成するとともに前記断熱箱体の下方に機械室を設けた本体部と、イオンを発生するイオン発生器と送風ファンとを有して前記本体部の上面に配されるイオン送出装置と、前記機械室の背面に開口部を開口するとともに、前記イオン送出装置の吸入口が前記本体部の背面よりも後方で下方に面して開口することを特徴とする。
【００１０】
この構成によると、居室内の壁と隙間を有して冷蔵庫が配置される。機械室内の空気が機械室の開口部から吐出される。この時、送風ファンが駆動されると、機械室内の空気は背面と壁との隙間を介して吸入口へ流入する。そして、機械室内の空気にはイオン発生器で発生するイオンが含まれ、居室内へ送出される。
【００１１】
また本発明は、上記構成の冷蔵庫において、前記本体部の背面の左右端からそれぞれ突出するとともに上下方向に延びて前記開口部と前記吸入口との間に配されるエアガイダを設けたことを特徴とする。この構成によると、エアガイダ及び居室内の壁で囲まれる流通路を形成され、流通路を介して空気が流通する。
【００１２】
また本発明は、上記構成の冷蔵庫において、前記本体部の背面が左右の端部で傾斜した傾斜面を有し、前記傾斜面に前記開口部を設けたことを特徴とする。この構成によると、居室内のコーナー部分に冷蔵庫を配置すると、傾斜面及び居室内のコーナーの壁で囲まれる流通路が形成される。そして流通路を介して機械室内の空気は吸入口へ流入する。その後、空気にはイオン発生器で発生するイオンが含まれ、居室内へ送出される。
【００１３】
また本発明は、上記構成の冷蔵庫において、前記イオン送出装置の上流に前記冷却器の除霜水を貯水する除霜水受けを備えたことを特徴とする。この構成によると、除霜水受けの除霜水は機械室内の熱により蒸発し、水分を含んだ空気が機械室の開口部から吐出される。
【００１４】
また本発明は、上記構成の冷蔵庫において、前記本体部の背面に凝縮器を配したことを特徴とする。この構成によると、冷蔵庫の背面に沿って流通する空気によって凝縮器が冷却される。
【発明の効果】
【００１５】
本発明によると、除霜水受けを配した機械室の背面に開口部を開口し、本体部の上面に配したイオン送出装置の吸入口が本体部の背面よりも後方で下方に面して開口する。これにより、機械室内の空気が冷蔵庫の背面に沿って上方に流通し、イオン送出装置から送出される。従って、冷蔵庫の背面のカビ等の発生を防止し、居室内を衛生的に保つことができる。
【図面の簡単な説明】
【００１６】
【図１】本発明の第１実施形態の冷蔵庫を示す側面断面図
【図２】本発明の第１実施形態の冷蔵庫を示す上面図
【図３】本発明の第２実施形態の冷蔵庫を示す側面図
【図４】本発明の第２実施形態の冷蔵庫を示す上面図
【発明を実施するための形態】
【００１７】
以下に本発明の実施形態を図面を参照して説明する。図１、図２は第１実施形態の冷蔵庫を示す側面断面図及び上面図を示している。冷蔵庫１は断熱材を充填した断熱箱体３を有する本体部２を備え、居室内の壁Ｗと隙間Ｓを有して配される。本体部２の上部には冷蔵室４が設けられ、冷蔵室４の下方に冷凍室５が設けられる。冷蔵室４及び冷凍室５の前面は断熱扉４ａ、５ａによりそれぞれ開閉される。
【００１８】
本体部２の後方下部には断熱箱体３の下方に配される機械室６が設けられる。機械室６の背面には開口部６ａが設けられる。機械室６には冷凍サイクルを運転する圧縮機３１が配置される。圧縮機３１の上方には冷却器１３５の除霜水を貯水する除霜水受け４０が配される。本体部２の背面１０の内側及び又は機械室６内には冷凍サイクルの高温部となる凝縮器３２が配される。
【００１９】
冷凍室５の背後には冷気が流通する冷気通路７が設けられる。冷気通路７は冷凍室５内に臨む吐出口７ａ及び戻り口７ｂが開口する。冷気通路７には冷凍サイクルの低温部となる冷却器１３５が配され、冷却器１３５の上方には送風ファン９が配される。
【００２０】
冷蔵室４の背後にはダンパ（不図示）を介して冷気通路７に連通する冷気通路８が設けられる。冷気通路８には冷蔵室４内に臨む吐出口８ａが開口する。また、冷蔵室４と冷気通路７の冷却器１３５の上流側とを連通させる連通路（不図示）が設けられる。
【００２１】
本体部２の下端の前部には脚部１９が設けられる。本体部２の下端の後部には車輪２０が設けられる。本体部２の前部を持ち上げると、車輪２０が冷蔵庫１の設置面上を転動して冷蔵庫１を移動させることができる。脚部１９及び車輪２０により本体部２は床Ｆから所定の隙間を有して配される。
【００２２】
本体部２の背面には左右端からそれぞれ突出するエアガイダ３３が設けられる。エアガイダ３３は樹脂成型品等により形成され、上下方向に延びて形成される。エアガイダ３３の下端は機械室６の上端部まで延び、上端はイオンを送出するイオン送出装置３４の吸入口３８まで延びる。左右のエアガイダ３３と本体部２の背面１０と壁Ｗとに囲まれた空間によって気流の流通路４６が形成される。
【００２３】
イオン送出装置３４は本体部２の上面に配されて本体部２の背面１０よりも後方に突出し、本体部４０及びシロッコファンから成る送風ファン３６を備える。本体部４０と送風ファン３６とは樹脂成型品により形成されるダクト３７によって接続される。イオン送出装置３４の吸入口３８は本体部２の背面１０よりも下方に面して開口する。本体部４０の前面は吐出口３９を開口する。本体部４０の前部にはイオン発生器３５が着脱自在に配される。
【００２４】
イオン発生器３５は交流波形またはインパルス波形から成る電圧が印加される電極（不図示）が設けられる。電極の印加電圧が正電圧の場合はイオンが空気中の水分と結合して主としてＨ+（Ｈ2Ｏ）ｍから成るプラスイオンを発生する。電極の印加電圧が負電圧の場合はイオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２５】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生して吐出口３５から吐出することにより居室内の殺菌及び臭い除去を行うことができる。
【００２６】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２７】
上記構成の冷蔵庫１において、圧縮機３１及び送風ファン９の駆動によって冷気通路７を流通する空気と冷却器１３５とが熱交換して生成された冷気が吐出口７ａから冷凍室５に吐出される。吐出口７ａから吐出された冷気は冷凍室５内を流通し、戻り口７ｂを介して冷却器１３５に戻る。これにより、冷凍室５内の冷却が行われる。ダンパ（不図示）が開かれると冷気通路７から冷気通路８に冷気が流入し、吐出口８ａから冷蔵室４に吐出される。吐出口８ａから吐出された冷気は冷蔵室４内を流通し、連通路（不図示）を介して冷却器１３５に戻る。これにより、冷蔵室４内の冷却が行われる。
【００２８】
冷却器１３５の除霜時には除霜水が除霜水受け４５に貯水される。除霜水受け４５内に貯水した除霜水は機械室６内の熱により蒸発して大気中に回収される。この時、機械室６の開口部６ａから湿った空気が吐出される。そして、送風ファン３６の駆動により流通路４６には矢印Ｄ１に示すように空気が流通し、吸入口３８に流入する。この時、流通路４６を流通する空気によって凝縮器３２の放熱性を高くすることができる。
【００２９】
吸入口３８から流入した水分を含んだ空気は矢印Ｄ２に示すように冷蔵庫１の前方に流通し、イオン発生器３５で発生したイオンが含まれる。水分を含んだ空気によりイオンと結合する水分を増加させてイオンの衝突による消滅を低減することができる。そして、イオンを含む空気が吐出口３９からは居室内へ送出される。これにより、居室内の除菌を行うことができる。
【００３０】
本実施形態によると、機械室６の背面１０に開口部６ａを開口し、本体部２の上面に配したイオン送出装置３４の吸入口３８が本体部２の背面よりも後方で下方に面して開口する。これにより、機械室６内の空気が冷蔵庫１の背面に沿って上方に流通し、イオン送出装置３４から送出される。従って、冷蔵庫１の背面のカビ等の発生を防止し、居室内を衛生的に保つことができる。
【００３１】
また、本体部２の背面１０の左右端からそれぞれ突出するとともに上下方向に延びて開口部６ａと吸入口３８との間に配されるエアガイダ３３を設けたので、流通路４６を容易に形成することができる。
【００３２】
また、イオン送出装置３４の上流に冷却器１３５の除霜水を貯水する除霜水受け４５を備えたため、機械室６内の熱で除霜水受け４５の除霜水が蒸発する。これにより水分を含んだ空気が冷蔵庫１の背面に沿って上方に流通する。
【００３３】
また、本体部２の背面１０に凝縮器３２を配したため、流通路４６を流通する水分を含んだ空気により凝縮器３２を冷却することができる。
【００３４】
（第２実施形態）
次に図３、図４は第２実施形態の冷蔵庫１を示す側面図、上面図である。説明の便宜上、前述の図１、図２を示す第１実施形態と同様の部分には同一の符号を付している。本実施形態では本体部２の背面１０の形状が異なり、エアガイダ３３（図１参照）が省かれている。その他の部分は第１実施形態と同様である。
【００３５】
本体部２の背面１０が左右の端部で傾斜した傾斜面１０ａを有し、背面１０及び一方の側面５０は居室内のコーナーの壁Ｗと隣接して配される。これにより、傾斜面１０ａと壁Ｗとの隙間Ｓによって用いられる流通路４６が形成される。傾斜面１０ａには機械室６の開口部６ａが設けられる。また、傾斜面１０ａの内面に凝縮器３２が配される。イオン送出装置３４は傾斜面１０ａの後方に突出して配され、イオン送出装置３４の吸入口３８は傾斜面１０ａの後方で下方に面して開口する。
【００３６】
上記構成の冷蔵庫１において、除霜水受け４５に貯水された除霜水は蒸発し、開口部６ａから水分を含んだ空気が吐出される。そして、送風ファン３６の駆動により流通路４６には矢印Ｄ１に示すように空気が流通し、吸入口３８に流入する。この時、流通路４６を流通する空気によって凝縮器３２の放熱性を高くすることができる。
【００３７】
吸入口３８から流入した水分を含んだ空気は矢印Ｄ２に示すように冷蔵庫１の前方に流通し、イオン発生器３５で発生したイオンが含まれる。水分を含んだ空気によりイオンと結合する水分を増加させてイオンの衝突による消滅を低減することができる。そして、イオンを含む空気が吐出口３９からは居室内へ送出される。これにより、居室内の除菌を行うことができる。
【００３８】
本実施形態によると、第１実施形態と同様の効果を得ることができる。また、本体部２の背面１０の左右の端部で傾斜した傾斜面１０ａに開口部６ａを設けたため、壁Ｗを利用して流通路４６を容易に形成することができる。
【００３９】
尚、一方の傾斜面１０ａによって流通路４６が形成され、他方の傾斜面１０ａの後方の空間は居室内に面して開放される。このため、居室内に面した傾斜面１０ａの開口部６ａから吐出される水分を含んだ空気は居室内に拡散し、カビ等の発生を防止することができる。
【産業上の利用可能性】
【００４０】
本発明によると、イオン送出装置を備えた冷蔵庫に利用することができる。
【符号の説明】
【００４１】
１      冷蔵庫
２      本体部
３      断熱箱体
４      冷蔵室
５      冷凍室
６      機械室
６ａ    開口部
７、８  冷気通路
９      送風ファン
１０    背面
１０ａ  傾斜面
３２    凝縮器
３３    エアガイダ
３４    イオン送出装置
３５    イオン発生器
３６    送風ファン
３７    ダクト
３８    吸入口
３９    吐出口
４０    本体部
４５    除霜水受け
４６    流通路
５０    側面
Ｓ      隙間
【図１】
2013117335.tif 000003
【図２】
2013117335.tif 000004
【図３】
2013117335.tif 000005
【図４】
2013117335.tif 000006